(57)【要約】【課題】エレベータ保守作業員がエレベータ保守専用の携帯端末装置を携帯していない場合でも、保守作業員が所有する携帯電話等を利用して、任意のエレベータ装置の保守用データを容易に採取することができるエレベータの保守用データ採取装置を得る。【解決手段】エレベータ制御盤の保守用データを採取するために携帯電話から送信されたデータ要求メールを受信するとともに、データ要求メールによって指定された制御盤からデータ要求メールによって要求された保守用データを採取して、データ要求メールに対する回答メールを携帯電話に対して送信する制御手段を備えることにより、保守作業員が所有する携帯電話のメール機能を利用して、指定したエレベータ装置の保守用データを任意の場所から採取する。【選択図】図１
2007153586.tif 000002
【特許請求の範囲】
【請求項１】
エレベータ制御盤の保守用データを採取するために携帯電話から送信されたデータ要求メールを受信するとともに、前記データ要求メールによって指定された前記制御盤から前記データ要求メールによって要求された前記保守用データを採取して、前記データ要求メールに対する回答メールを前記携帯電話に対して送信する制御手段を備えたことを特徴とするエレベータの保守用データ採取装置。
【請求項２】
制御手段は、
エレベータ制御盤の保守用データを採取するために携帯電話から送信されたデータ要求メールを受信する受信部と、
前記受信部によって受信された前記データ要求メールの内容を解析し、その解析結果に基づいて、前記制御盤で読み取り可能な制御盤用データを生成する第１解析部と、
前記制御盤用データに対応するデータ要求を前記制御盤に対して出力する出力部と、
前記データ要求に対する前記制御盤の回答データが入力される入力部と、
前記入力部に入力された前記回答データの内容を解析し、その解析結果に基づいて、前記携帯電話のメール機能によって閲覧可能な閲覧データを生成する第２解析部と、
前記閲覧データに対応する回答メールを前記携帯電話に対して送信する送信部と、
を備えたことを特徴とする請求項１に記載のエレベータの保守用データ採取装置。
【請求項３】
エレベータ制御盤の保守用データを採取するためにＷＥＢ端末装置から送信されたデータ要求情報を受信するとともに、前記データ要求情報によって指定された前記制御盤から前記データ要求情報によって要求された前記保守用データを採取して、前記データ要求情報に対する回答データ情報を前記ＷＥＢ端末装置に表示させる制御手段を備えたことを特徴とするエレベータの保守用データ採取装置。
【請求項４】
制御手段は、
エレベータ制御盤の保守用データを採取するためにＷＥＢ端末装置から送信されたデータ要求情報を受信する受信部と、
前記受信部によって受信されたデータ要求情報の内容を解析し、その解析結果に基づいて、前記制御盤で読み取り可能な制御盤用データを生成する第１解析部と、
前記制御盤用データに対応するデータ要求を前記制御盤に対して出力する出力部と、
前記データ要求に対する前記制御盤の回答データが入力される入力部と、
前記入力部に入力された前記回答データの内容を解析し、その解析結果に基づいて、前記ＷＥＢ端末装置で閲覧可能な閲覧データを生成する第２解析部と、
前記閲覧データに対応する回答データ情報を前記ＷＥＢ端末装置に対して送信する送信部と、
を備えたことを特徴とする請求項３に記載のエレベータの保守用データ採取装置。
【請求項５】
受信部は、所定の携帯電話から送信されたデータ要求メールのみ、又は、所定のＷＥＢ端末装置から送信されたデータ要求情報のみを第１解析部に転送する認証部を備えたことを特徴とする請求項２又は請求項４に記載のエレベータの保守用データ取得装置。
【請求項６】
エレベータ制御盤の保守用データを採取するために携帯電話から送信されたデータ要求メールを受信するステップと、
受信した前記データ要求メールの内容を解析し、その解析結果に基づいて、前記制御盤で読み取り可能な制御盤用データを生成するステップと、
前記制御盤用データに対応するデータ要求を前記制御盤に対して出力するステップと、
前記データ要求に対する前記制御盤の回答データを入力するステップと、
入力された前記回答データの内容を解析し、その解析結果に基づいて、前記携帯電話のメール機能によって閲覧可能な閲覧データを生成するステップと、
前記閲覧データに対応する回答メールを前記携帯電話に対して送信するステップと、
を備えたことを特徴とするエレベータの保守用データ採取方法。
【請求項７】
エレベータ制御盤の保守用データを採取するためにＷＥＢ端末装置から送信されたデータ要求情報を受信するステップと、
受信された前記データ要求情報の内容を解析し、その解析結果に基づいて、前記制御盤で読み取り可能な制御盤用データを生成するステップと、
前記制御盤用データに対応するデータ要求を前記制御盤に対して出力するステップと、
前記データ要求に対する前記制御盤の回答データを入力するステップと、
入力された前記回答データの内容を解析し、その解析結果に基づいて、前記ＷＥＢ端末装置によって閲覧可能な閲覧データを生成するステップと、
前記閲覧データに対応する回答データ情報を前記ＷＥＢ端末装置に対して送信するステップと、
を備えたことを特徴とするエレベータの保守用データ採取方法。
【発明の詳細な説明】
【技術分野】
【０００１】
この発明は、エレベータ保守作業員がエレベータ装置の保守用データを採取する保守用データ採取装置、及び、保守用データ採取方法に関するものである。
【背景技術】
【０００２】
従来、エレベータ保守作業員が現場到着前に故障したエレベータ装置の保守用データを採取する場合、保守作業員が携帯するエレベータ保守専用の携帯端末装置を自分の携帯電話に接続することにより、故障したエレベータ装置の診断及び故障情報を、このエレベータ装置と一般電話回線によって接続された遠隔監視センタから上記携帯端末装置に取り込んで参照していた（例えば、特許文献１参照）。
【０００３】
【特許文献１】特開２００３−１７１０７１号公報
【発明の開示】
【発明が解決しようとする課題】
【０００４】
特許文献１記載のものでは、エレベータ保守作業員がエレベータ保守専用の携帯端末装置の画面を参照することにより、現場到着前であっても、部品手配や応援要請を行えるようにしている。しかし、エレベータ保守作業員が帰宅後に地震が発生した場合や、保守作業員が遠隔地で移動中にエレベータ装置の故障が発生した場合等、保守作業員がエレベータ保守専用の携帯端末装置を携帯していない場合には、当該エレベータ装置の診断及び故障情報を入手することができず、復旧作業が遅延するといった問題が生じていた。
【０００５】
この発明は、上述のような課題を解決するためになされたもので、その目的は、エレベータ保守作業員がエレベータ保守専用の携帯端末装置を携帯していない場合でも、保守作業員が所有する携帯電話等を利用して、任意のエレベータ装置の保守用データを容易に採取することができるエレベータの保守用データ採取装置、及び、エレベータの保守用データ採取方法を提供することである。
【課題を解決するための手段】
【０００６】
この発明に係るエレベータの保守用データ採取装置は、エレベータ制御盤の保守用データを採取するために携帯電話から送信されたデータ要求メールを受信するとともに、データ要求メールによって指定された制御盤からデータ要求メールによって要求された保守用データを採取して、データ要求メールに対する回答メールを携帯電話に対して送信する制御手段を備えたものである。
【０００７】
この発明に係るエレベータの保守用データ採取装置は、エレベータ制御盤の保守用データを採取するためにＷＥＢ端末装置から送信されたデータ要求情報を受信するとともに、データ要求情報によって指定された制御盤からデータ要求情報によって要求された保守用データを採取して、データ要求情報に対する回答データ情報をＷＥＢ端末装置に表示させる制御手段を備えたものである。
【０００８】
この発明に係るエレベータの保守用データ採取方法は、エレベータ制御盤の保守用データを採取するために携帯電話から送信されたデータ要求メールを受信するステップと、受信したデータ要求メールの内容を解析し、その解析結果に基づいて、制御盤で読み取り可能な制御盤用データを生成するステップと、制御盤用データに対応するデータ要求を制御盤に対して出力するステップと、データ要求に対する制御盤の回答データを入力するステップと、入力された回答データの内容を解析し、その解析結果に基づいて、携帯電話のメール機能によって閲覧可能な閲覧データを生成するステップと、閲覧データに対応する回答メールを携帯電話に対して送信するステップと、を備えたものである。
【０００９】
この発明に係るエレベータの保守用データ採取方法は、エレベータ制御盤の保守用データを採取するためにＷＥＢ端末装置から送信されたデータ要求情報を受信するステップと、受信されたデータ要求情報の内容を解析し、その解析結果に基づいて、制御盤で読み取り可能な制御盤用データを生成するステップと、制御盤用データに対応するデータ要求を制御盤に対して出力するステップと、データ要求に対する制御盤の回答データを入力するステップと、入力された回答データの内容を解析し、その解析結果に基づいて、ＷＥＢ端末装置によって閲覧可能な閲覧データを生成するステップと、閲覧データに対応する回答データ情報をＷＥＢ端末装置に対して送信するステップと、を備えたものである。
【発明の効果】
【００１０】
この発明は、エレベータ制御盤の保守用データを採取するために携帯電話から送信されたデータ要求メールを受信するとともに、データ要求メールによって指定された制御盤からデータ要求メールによって要求された保守用データを採取して、データ要求メールに対する回答メールを携帯電話に対して送信する制御手段を備える構成としたことで、エレベータ保守作業員がエレベータ保守専用の携帯端末装置を携帯していない場合でも、保守作業員が所有する携帯電話等を利用して、任意のエレベータ装置の保守用データを容易に採取することができる。
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるエレベータの保守用データ採取装置のブロック構成図である。図１において、１はエレベータ保守管理会社等に備えられ、各所に設置された複数のエレベータ装置と一般の電話回線網２を介して接続されるとともに、エレベータの保守作業員によって指定されたエレベータ装置から、要求された保守用データを採取する際に、各種制御が実施されるデータ採取サーバ、３は任意の場所に設置されたエレベータ装置の各種制御を司るとともに、保守用データが記憶されている制御盤であり、上記データ採取サーバ１とは、各通信装置１ａ及び３ａを介して電話回線網２によって接続されている。また、４はメール機能を有するエレベータ保守作業員所有の一般の携帯電話である。
【００１３】
ここで、上記データ採取サーバ１には、制御盤３に記憶されている保守用データを採取するために携帯電話４から送信されたデータ要求メールを受信する受信部、及び、データ要求メールに対する回答メールを携帯電話４に対して送信する送信部からなるメール送受信部５と、メール送受信部５によって受信した携帯電話４からのデータ要求メールの内容を解析して、このデータ要求メールによって指定された制御盤３から採取する保守用データの項目（以下、「データ採取項目」という）を設定するメール解析部６と、メール解析部６により設定されたデータ採取項目を指定の制御盤３から採取するため、前記制御盤３で読み取り可能な制御盤用データであって、上記データ採取項目に対応したものを生成する第１エレベータデータ解析部７と、第１エレベータデータ解析部７により生成された制御盤用データに対応するデータ要求を制御盤３に対して出力する出力部、及び、データ要求に対する制御盤３からの回答データが入力される入力部からなるエレベータデータ入出力部８と、制御盤３から入力された回答データの内容を解析し、エレベータ保守専用の携帯端末装置に表示できる形式のデータ（以下、「保守表示用データ」という）を生成する第２エレベータデータ解析部９と、第２エレベータデータ解析部９によって生成された保守表示用データの内容を、携帯電話４のメール機能によって閲覧可能なデータ（以下、実施の形態１において「閲覧データ」という）に変換するデータ変換部１０とが備えられている。なお、上記メール送受信部５における送信部では、データ変換部１０により変換された閲覧データに対応する回答メール、即ち、上記データ要求メールに対する回答メールを携帯電話４に対して送信する。また、メール送受信部５の受信部内に備えられた認証部５ａは、所定の携帯電話４から送信されたデータ要求メールのみをメール解析部６に転送し、データ採取サーバ１内に取り込むメールを規制している。
【００１４】
即ち、特許請求の範囲の請求項１における制御手段は、メール送受信部５、メール解析部６、第１エレベータデータ解析部７、エレベータデータ入出力部８、第２エレベータデータ解析部９及びデータ変換部１０から構成される。また、特許請求の範囲の請求項２における第１解析部は、上記メール解析部６及び第１エレベータデータ解析部７から、第２解析部は、上記第２エレベータデータ解析部９及びデータ変換部１０から構成される。
【００１５】
次に、上記構成を有するエレベータの保守用データ採取装置の動作について説明する。なお、図２はこの発明の実施の形態１におけるエレベータの保守用データ採取装置の動作を示すフローチャートである。図２において、エレベータ保守作業員が、エレベータ保守専用の携帯端末装置を携帯していない時に応援要請等を受けた場合、この保守作業員は、故障の発生したエレベータ装置の診断及び故障データ等、即ち、制御盤３に記憶されている保守用データを採取するため、先ず、自分の所有する携帯電話４によってデータ要求メール（以下、「メールＡ」という）を作成し、データ採取サーバ１に対して送信する（ステップＳ１０１）。ここで、上記メールＡは、例えば、定型のフォーマットに所定の情報及び制御盤３から採取したい保守用データの項目（データ内容）等を入力する。なお、メールＡによって入力される上記所定の情報は、例えば、故障したエレベータ装置を特定するための情報、即ち、当該エレベータ装置が設置されている建物番号や、そのエレベータ装置の号機番号を意味する。
【００１６】
データ採取サーバ１では、メール送受信部５によって携帯電話４からのメールＡを受信すると（ステップＳ１０２）、先ず、受信したメールＡが所定の保守作業員の携帯電話４から送信されたものであるかの認証作業が行われる（ステップＳ１０３）。なお、データ採取サーバ１には、予め複数のエレベータ保守作業員の携帯電話の情報が登録されている。認証部５ａでは、受信したメールＡの情報から携帯電話４を特定するとともに、特定した携帯電話４が、予め登録されている携帯電話の中に含まれているかを判定する。そして、特定した携帯電話４が予め登録された携帯電話の一つと同一のものである場合に、受信したメールＡが所定の保守作業員所有の携帯電話４から送信されたものであると認証する。ここで、認証部５ａによって、受信したメールＡが所定の保守作業員の携帯電話４から送信されたものではないと判定された場合には、当該携帯電話に対して制御盤３の保守用データを提供することはできないため、以降の処理は中止され、動作は終了する。
【００１７】
一方、受信したメールＡが所定の保守作業員の携帯電話４から送信されたものであると認証部５ａによって認証された場合には、メール送受信部５からメール解析部６に対してメールＡが転送される（ステップＳ１０４）。メール解析部６では、転送されたメールＡの内容を解析して（ステップＳ１０５）、保守作業員がメールＡによって指定した制御盤３の情報と、メールＡによって採取したいと要求してきた保守用データの項目とをデータ採取項目として設定し（ステップＳ１０６）、その設定内容を第１エレベータデータ解析部７に対して出力する（ステップＳ１０７）。具体的には、定型フォーマットに入力されたメールＡの所定の情報やデータ内容を取り出してデータ採取項目を設定する。
【００１８】
第１エレベータデータ解析部７では、メール解析部６から入力された上記設定内容に基づいて、データ採取項目を指定の制御盤３から採取するため、上記データ採取項目に対応した制御盤用データを生成するとともに（ステップＳ１０８）、この制御盤用データをエレベータデータ入出力部８に対して出力する（ステップＳ１０９）。この制御盤用データには、例えば、エレベータ装置が設置された建物や号機毎の通信用情報（例えば、電話番号等）、並びに、採取したい保守用データの項目に対応したデータ採取アルゴリズムがセットされる。
【００１９】
エレベータ入出力部８では、第１エレベータデータ解析部７から入力された制御盤用データに基づいて、制御盤用データに対応するデータ要求を制御盤３に対して出力する（ステップＳ１１０）。このデータ要求は、通信装置１ａ、電話回線網２及び通信装置３ａを介して指定された制御盤３に入力される（ステップＳ１１１）。そして、制御盤３では、入力されたデータ要求に基づいて、制御盤用データの内容に対応した回答データを生成し、エレベータデータ入出力部８に対してこの回答データを出力する（ステップＳ１１２）。
【００２０】
データ要求に対する制御盤３の回答データがエレベータデータ入出力部８に入力されると（ステップＳ１１３）、エレベータデータ入出力部８は、その回答データを第２エレベータデータ解析部９に対して転送する（ステップＳ１１４）。第２エレベータデータ解析部９では、入力された回答データの内容を解析するとともに、解析した内容に基づいて、保守用端末装置に表示することができる形式のデータ、即ち、保守表示用データを生成するとともに（ステップＳ１１５）、この保守表示用データをデータ変換部１０に対して出力する（ステップＳ１１６）。なお、保守作業員がエレベータ保守専用の携帯端末装置を携帯している場合には、この第２エレベータデータ解析部９により生成された保守表示用データを受信することにより、上記回答データの内容を保守用端末装置に表示させることができる。
【００２１】
データ変換部１０では、第２エレベータデータ解析部９から入力された保守表示用データを、携帯電話４のメール機能によって閲覧可能なデータ、即ち、閲覧データに変換し（ステップＳ１１７）、この閲覧データをメール送受信部５に対して出力する（ステップＳ１１８）。メール送受信部５では、入力された閲覧データに基づいて、閲覧データの内容をメールＡに対する回答形式に変換した回答メール（以下、「メールＢ」という）を生成し（ステップＳ１１９）、閲覧データに対応するこのメールＢを携帯電話４に対して送信する（ステップＳ１２０）。そして、メールＢは電話回線網２を介して携帯電話４に受信され（ステップＳ１２１）、携帯電話４に、メールＡに対する回答が表示される。なお、上記メールＢには、例えば、回答データを出力した制御盤３を備えたエレベータ装置が設置された建物番号や、当該エレベータ装置の号機番号、要求したデータ内容に対する回答等の情報が含まれている。
【００２２】
この発明の実施の形態１によれば、エレベータ保守作業員は、エレベータ保守専用の携帯端末装置を携帯していない場合でも、保守作業員が所有する一般の携帯電話４を利用して、故障したエレベータ装置の保守用データ等の各種情報を容易に採取することができる。したがって、現場到着前に故障したエレベータ装置の状態を確認したり、その故障に対する対応策を検討したりすることが可能となり、エレベータ装置の復旧作業に要する時間を大幅に削減させることができる。また、携帯電話４のメール機能を利用しているため、携帯電話４に特別のアプリケーションを必要とせず、ほぼ全ての携帯電話に対応することが可能である。
【００２３】
また、認証部５ａを備えることにより、いたずら防止を図ることも可能であり、信頼性の高いエレベータの保守用データ採取装置を提供できる。
【００２４】
実施の形態２．
図３はこの発明の実施の形態２におけるエレベータの保守用データ採取装置のブロック構成図である。図３において、１１はエレベータ保守管理会社等に備えられ、各所に設置された複数のエレベータ装置と一般の電話回線網２を介して接続されるとともに、エレベータの保守作業員によって指定されたエレベータ装置から要求された保守用データを採取する際に各種制御が実施されるデータ採取サーバであり、このデータ採取サーバ１１は、イントラネット網１２に接続されている。また、１３ａ乃至１３ｃ（以下、単に「１３」と表示する）はイントラネット網１２を介してデータ採取サーバ１１に接続可能なＷＥＢ端末装置からなるデータ確認端末であり、例えば、エレベータ保守作業員が所有するノート型パソコン、ＰＤＡ等が該当する。なお、このデータ確認端末１３は一般のＷＥＢ端末装置を意味し、エレベータ保守専用の携帯端末装置は除かれる。
【００２５】
ここで、上記データ採取サーバ１１には、制御盤３に記憶されている保守用データを採取するためにデータ確認端末１３から送信されたデータ要求情報を受信するデータ要求情報受信部１４（受信部）と、データ要求情報受信部１４によって受信したデータ確認端末１３からのデータ要求情報の内容を解析して、このデータ要求情報によって指定された制御盤３から採取する保守用データの項目、即ち、データ採取項目を設定する要求解析部１５と、要求解析部１５により設定されたデータ採取項目を指定の制御盤３から採取するため、制御盤３で読み取り可能な制御盤用データであって、上記データ採取項目に対応したものを生成する第１エレベータデータ解析部７と、エレベータデータ入出力部８と、第２エレベータデータ解析部９と、第２エレベータデータ解析部９によって生成された保守表示用データの内容を、データ確認端末１３によってＷＥＢ上から閲覧可能なデータ（以下、実施の形態２において「閲覧データ」という）に変換するデータ変換部１６と、データ変換部１６により変換された閲覧データに基づいて、閲覧データの内容を、保守作業員のデータ確認端末１３から送信されたデータ要求情報に対する回答形式に変換した回答データ情報を生成し、データ確認端末１３に対して閲覧データに対応する当該回答データ情報を送信する回答データ情報送信部１７（送信部）とが備えられている。なお、データ要求情報受信部１４内に備えられた認証部１４ａでは、所定のデータ確認端末１３から送信されたデータ要求情報のみを要求解析部１５に転送するように構成されている。
【００２６】
即ち、特許請求の範囲の請求項３における制御手段は、データ要求情報受信部１４、要求解析部１５、第１エレベータデータ解析部７、エレベータデータ入出力部８、第２エレベータデータ解析部９、データ変換部１６及び回答データ情報送信部１７から構成される。また、特許請求の範囲の請求項４における第１解析部は、上記要求解析部１５及び第１エレベータデータ解析部７から、第２解析部は、上記第２エレベータデータ解析部９及びデータ変換部１６から構成される。
【００２７】
次に、上記構成を有するエレベータの保守用データ採取装置の動作について説明する。なお、図４はこの発明の実施の形態２におけるエレベータの保守用データ採取装置の動作を示すフローチャートである。図４において、エレベータ保守作業員が、エレベータ保守専用の携帯端末装置を携帯していない時に応援要請等を受けた場合、この保守作業員は、故障の発生したエレベータ装置の診断及び故障データ等、即ち、制御盤３に記憶されている保守用データを採取するため、先ず、自分の所有するデータ確認端末１３によってＷＥＢ上でデータ要求情報を作成し、データ採取サーバ１１に対して送信する（ステップＳ２０１）。ここで、上記データ要求情報は、例えば、定型フォーマットに所定の情報及び制御盤３から採取したい保守用データの項目（データ内容）等を入力する。
【００２８】
データ採取サーバ１１では、データ要求情報受信部１４によってデータ確認端末１３からのデータ要求情報を受信すると（ステップＳ２０２）、先ず、受信したデータ要求情報が所定の保守作業員のデータ確認端末１３から送信されたものであるかの認証作業が行われる（ステップＳ２０３）。なお、データ採取サーバ１３には、予め複数のエレベータ保守作業員のデータ確認端末１３の情報が登録されている。認証部１４ａでは、受信したデータ要求情報からＩＰアドレス等によってデータ確認端末１３を特定するとともに、特定したデータ確認端末１３が、予め登録されているデータ確認端末の中に含まれているかを判定する。そして、特定したデータ確認端末１３が予め登録されたデータ確認端末の一つと同一のものである場合に、受信したデータ要求情報が所定の保守作業員所有のデータ確認端末１３から送信されたものであると認証する。ここで、認証部１４ａによって、受信したデータ要求情報が所定の保守作業員のデータ確認端末１３から送信されたものではないと判定された場合には、当該データ確認端末に対して制御盤３の保守用データを提供することはできないため、以降の処理は中止され、動作は終了する。
【００２９】
一方、受信したデータ要求情報が所定の保守作業員のデータ確認端末１３から送信されたものであると認証部１４ａによって認証された場合には、データ要求情報受信部１４から要求解析部１５に対してデータ要求情報が転送される（ステップＳ２０４）。要求解析部１５では、転送されたデータ要求情報の内容を解析して（ステップＳ２０５）、保守作業員がデータ要求情報によって指定した制御盤３の情報と、データ要求情報によって採取したいと要求してきた保守用データの項目とをデータ採取項目として設定し（ステップＳ２０６）、その設定内容を第１エレベータデータ解析部７に対して出力する（ステップ２０７）。具体的には、定型フォーマットに入力されたデータ要求情報の所定の情報やデータ内容を取り出してデータ採取項目を設定する。
【００３０】
なお、ステップＳ２０８からステップＳ２１６までの処理動作は、実施の形態１におけるステップＳ１０８からステップＳ１１６までの処理動作と共通であるため、その詳細は省略する。
【００３１】
そして、データ変換部１６では、第２エレベータデータ解析部９から入力された保守表示用データを、イントラネット（Ｗｅｂサイト）によって閲覧可能なデータ、即ち、閲覧データに変換し（ステップＳ２１７）、この閲覧データを回答データ情報送信部１７に対して出力する（ステップＳ２１８）。回答データ情報送信部１７では、入力された閲覧データに基づいて、閲覧データの内容をデータ要求情報に対する回答形式に変換した回答データ情報を生成し（ステップＳ２１９）、閲覧データに対応するこの回答データ情報をデータ確認端末１３に対して送信する（ステップＳ２２０）。そして、回答データ情報はイントラネット網１２を介してデータ確認端末１３に受信され（ステップＳ２２１）、データ確認端末１３に、データ要求情報に対する回答が表示される。なお、上記回答データ情報には、例えば、回答データを出力した制御盤３を備えたエレベータ装置が設置された建物番号や、当該エレベータ装置の号機番号、要求したデータ内容に対する回答等の情報が含まれている。
【００３２】
この発明の実施の形態２によれば、エレベータ保守作業員は、エレベータ保守専用の携帯端末装置を携帯していない場合でも、保守作業員が所有するデータ確認端末１３を利用して、故障したエレベータ装置の保守用データ等の各種情報をＷＥＢ上から容易に採取することができる。また、ＩＰアドレス等を利用すれば認証部１４ａによる認証作業も容易に実施することが可能であり、信頼性の高いエレベータの保守用データ採取装置を提供できる。なお、その他は実施の形態１と同様の構成及び効果を奏する。
【図面の簡単な説明】
【００３３】
【図１】この発明の実施の形態１におけるエレベータの保守用データ採取装置のブロック構成図である。
【図２】この発明の実施の形態１におけるエレベータの保守用データ採取装置の動作を示すフローチャートである。
【図３】この発明の実施の形態２におけるエレベータの保守用データ採取装置のブロック構成図である。
【図４】この発明の実施の形態２におけるエレベータの保守用データ採取装置の動作を示すフローチャートである。
【符号の説明】
【００３４】
１、１１  データ採取サーバ
１ａ、３ａ  通信装置
２  電話回線網
３  制御盤
４  携帯電話
５  メール送受信部
５ａ、１４ａ  認証部
６  メール解析部
７  第１エレベータデータ解析部
８  エレベータデータ入出力部
９  第２エレベータデータ解析部
１０、１６  データ変換部
１２  イントラネット網
１３ａ、１３ｂ、１３ｃ  データ確認端末
１４  データ要求情報受信部
１５  要求解析部
１７  回答データ情報送信部
【図１】
2007153586.tif 000003
【図２】
2007153586.tif 000004
【図３】
2007153586.tif 000005
【図４】
2007153586.tif 000006